(57)【要約】【解決手段】  開示されているものは、可変の姿勢及び構造を有するスマートマットレスであり、介護器具の技術分野に属し、スマートマットレスは、メインフレーム（１８）と、セグメント化されたフレームとを備え、セグメント化されたフレームは、左側寝返りモジュールと、右側寝返りモジュールと、締め付け防止モジュールと、背上げモジュールと、脚上げモジュールとを備える。各モジュールは、回転式コネクタを介して接続されるパネルフレームにより形成されている。背上げ回転中心（１３）、脚上げ回転中心（１４）及び左右側寝返り回転中心（１５、１６）は、接続部に形成されている。各モジュールは、駆動装置の作用下で、各回転中心回りに上昇して定位置に停止することができて、背上げ、脚上げ、左右側の寝返り、及び締め付け防止横側寝返り等の機能を実現する。さらに、スマートマットレスは、異なる幅を有するベッド本体に適切な幅調整機構（１９、２０）を備える。マットレスは、設置及び移動に便利なように少なくとも２つの部分に分割することができる。駆動装置は、各分割フレームと一体的に配置できて、再組み立て中に駆動装置の不正確な組み立てを回避する。【選択図】図２
2019533566.tif 000002
【特許請求の範囲】
【請求項１】
スマートマットレスであって、
メインフレームと、
セグメント化されたフレームと、
を備え、
前記セグメント化されたフレームは、
左側寝返りモジュールと、
右側寝返りモジュールと、
締め付け防止モジュールと、
を有し、
前記左側寝返りモジュールは、前記メインフレームの左側に配置されているパネルフレームを有し、
前記右側寝返りモジュールは、前記メインフレームの右側に配置されているパネルフレームを有し、
前記締め付け防止モジュールは、前記左側寝返りモジュールと前記右側寝返りモジュールとの間に配置され、
前記左側寝返りモジュールと前記締め付け防止モジュールとの間の接続部に左側寝返り回転中心が形成され、
前記右側寝返りモジュールと前記締め付け防止モジュールとの間の接続部に右側寝返り回転中心が形成されているスマートマットレス。
【請求項２】
請求項１に記載のスマートマットレスであって、
前記セグメント化されたフレームは、さらに、背上げモジュールと、脚上げモジュールとを有し、
前記背上げモジュールは、平行に配置されるとともに、前記メインフレームのヘッド部に配置されている少なくとも３つのパネルフレームを有し、
前記脚上げモジュールは、平行に配置されるとともに、前記メインフレームのテール部に配置されている少なくとも３つのパネルフレームを有し、
前記背上げモジュールと他のパネルフレームとの間の接続部に背上げ回転中心が形成され、
前記脚上げモジュールと他のパネルフレームとの間の接続部に脚上げ回転中心が形成され、
各パネルフレームは、回転式コネクタにより接続されているスマートマットレス。
【請求項３】
請求項２に記載のスマートマットレスであって、
前記スマートマットレスは、さらに、駆動装置を備え、
前記駆動装置は、前記背上げモジュールにおける平行に配置されている前記少なくとも３つのパネルフレームうちの中間パネルフレームに接続され、
及び／又は前記駆動装置は、前記脚上げモジュールにおける平行に配置されている前記少なくとも３つのパネルフレームうちの中間パネルフレームに接続され、
及び／又は前記駆動装置は、前記左側寝返りモジュールに接続され、
及び／又は前記駆動装置は、前記右側寝返りモジュールに接続されているスマートマットレス。
【請求項４】
請求項３に記載のスマートマットレスであって、
前記背上げモジュールは、前記駆動装置の作用下で、前記背上げ回転中心回りに回転及び上昇して定位置に停止し、
及び／又は前記脚上げモジュールは、前記駆動装置の作用下で、前記脚上げ回転中心回りに回転及び上昇して定位置に停止することができ、
及び／又は前記左側寝返りモジュールは、前記駆動装置の作用下で、前記左側寝返り回転中心回りに回転及び上昇して定位置に停止することができ、
及び／又は前記右側寝返りモジュールは、前記駆動装置の作用下で、前記右側寝返り回転中心回りに回転及び上昇して定位置に停止することができるスマートマットレス。
【請求項５】
請求項３に記載のスマートマットレスであって、
前記駆動装置は、電動プッシュロッド又は空気圧プッシュロッドであるスマートマットレス。
【請求項６】
請求項１及び２のいずれか１項に記載のスマートマットレスであって、
左側及び右側の寝返りが行われる時に、前記左側寝返り回転中心及び前記右側寝返り回転中心は、偶数軸面取り構造を形成するスマートマットレス。
【請求項７】
請求項６に記載のスマートマットレスであって、
前記偶数軸面取り構造は、２重軸面取り構造であるスマートマットレス。
【請求項８】
請求項１及び２のいずれか１項に記載のスマートマットレスであって、
前記スマートマットレスは、さらに、幅調整機構を備え、
前記幅調整機構は、左側幅調整機構及び／又は右側幅調整機構を有するスマートマットレス。
【請求項９】
請求項８に記載のスマートマットレスであって、
前記幅調整機構は、スライディングブロック、ガイドレール及びフープを有するスマートマットレス。
【請求項１０】
請求項２に記載のスマートマットレスであって、
前記スマートマットレスは、前記背上げ回転中心及び／又は前記脚上げ回転中心に沿って、少なくとも２つの部分に分割でき、
駆動装置及び各分割部分が一体的に配置されているスマートマットレス。
【発明の詳細な説明】
【技術分野】
【０００１】
本発明は、介護器具の技術分野に関し、特に、可変の姿勢及び構造を有するスマートマットレスに関する。
【背景技術】
【０００２】
現在、高齢者の家庭介護及び高齢者の福祉介護施設及び病棟における多機能性介護ベッドのほとんどは、全体として多機能でなければならない。この従来の一体型多機能性介護ベッドのデメリットは相対的に明白であり、サイズが大きく、重量があり、柔軟性が無く、設置及び移動が不便である。特に、高齢者の家庭介護では、高齢者が、長年にわたって使用してきたベッド本体を交換することに消極的であることから、介護チームに介護に大きな課題をもたらす。
【０００３】
２０１５年１２月９日に出願された出願番号２０１５１０３８６１９７．９の特許発明は、上げ下げ可能な背もたれフレームと、脚上げフレームと、左右側寝返りフレームと、連結ヒンジとを備える多機能性フレーム介護マットレスを開示し、電動プッシュロッドによって、背もたれの上げ、脚部の上げ、左右の寝返り及び通常のシングルベッド又はダブルベッドに追加しての使用等の機能を実現する。しかしながら、この発明は、依然として複雑な構造を有し、高額で、サイズと重量が大きく、移動が不便で、適用性が悪い。これに加えて、現在の介護ベッド又はマットレスは、横方向の寝返り機能が実現された時に、図５に示す構造のみを有し、構造は、横側の寝返りが行われる時に人体に締め付け損傷を引き起こす傾向がある。
【０００４】
そのため、当業者は、簡易な構造を有し、軽量で小さなサイズで、取り外し可能で、設置並びに移動が便利で、適用性に優れ、締め付け防止横側寝返り機能も有する、医療用スマートマットレスを開発することに専念している。
【発明の概要】
【発明が解決しようとする課題】
【０００５】
従来技術の上記欠陥を考慮し、本発明によって解決される課題は、多機能性介護マットレスが、複雑な構造を有すること、高額であること、サイズと重量が大きいこと、移動が不便であること、適用性が悪いこと、横側の寝返りが行われる時に人体を締め付けて損傷を引き起こす傾向にあること等である。
【課題を解決するための手段】
【０００６】
上記の目的を達成するため、本発明は、メインフレームと、セグメント化されたフレームとを備え、前記セグメント化されたフレームは、左側寝返りモジュールと、右側寝返りモジュールと、締め付け防止モジュールとを有し、前記左側寝返りモジュールは、前記メインフレームの左側に配置されているパネルフレームを有し、前記右側寝返りモジュールは、前記メインフレームの右側に配置されているパネルフレームを有し、前記締め付け防止モジュールは、前記左側寝返りモジュールと前記右側寝返りモジュールとの間に配置され、前記左側寝返りモジュールと前記締め付け防止モジュールとの間の接続部に左側寝返り回転中心が形成され、前記右側寝返りモジュールと前記締め付け防止モジュールとの間の接続部に右側寝返り回転中心が形成されているスマートマットレスを提供する。
【０００７】
さらに、前記セグメント化されたフレームは、さらに、背上げモジュールと、脚上げモジュールとを有し、前記背上げモジュールは、平行に配置されるとともに、前記メインフレームのヘッド部に配置されている少なくとも３つのパネルフレームを有し、前記脚上げモジュールは、平行に配置されるとともに、前記メインフレームのテール部に配置されている少なくとも３つのパネルフレームを有し、前記背上げモジュールと他のパネルフレームとの間の接続部に背上げ回転中心が形成され、前記脚上げモジュールと他のパネルフレームとの間の接続部に脚上げ回転中心が形成され、各パネルフレームは回転式コネクタにより接続されている。
【０００８】
さらに、前記スマートマットレスは、さらに、駆動装置を備え、前記駆動装置は、前記背上げモジュールにおける平行に配置されている前記少なくとも３つのパネルフレームうちの中間パネルフレームに接続され、及び／又は前記駆動装置は、前記脚上げモジュールにおける平行に配置されている前記少なくとも３つのパネルフレームうちの中間パネルフレームに接続され、及び／又は前記駆動装置は、前記左側寝返りモジュールに接続され、及び／又は前記駆動装置は、前記右側寝返りモジュールに接続されている。
【０００９】
さらに、前記背上げモジュールは、前記駆動装置の作用下で、前記背上げ回転中心回りに回転及び上昇して定位置に停止し、及び／又は前記脚上げモジュールは、前記駆動装置の作用下で、前記脚上げ回転中心回りに回転及び上昇して定位置に停止することができ、及び／又は前記左側寝返りモジュールは、前記駆動装置の作用下で、前記左側寝返り回転中心回りに回転及び上昇して定位置に停止することができ、及び／又は前記右側寝返りモジュールは、前記駆動装置の作用下で、前記右側寝返り回転中心回りに回転及び上昇して定位置に停止することができる。
【００１０】
さらに、前記駆動装置は、電動プッシュロッド又は空気圧プッシュロッドである。
【００１１】
さらに、左側及び右側の寝返りが行われる時に、前記左側寝返り回転中心及び前記右側寝返り回転中心は、偶数軸面取り構造を形成する。
【００１２】
さらに、前記偶数軸面取り構造は、２重軸面取り構造である。
【００１３】
さらに、前記スマートマットレスは、さらに、幅調整機構を備え、前記幅調整機構は、左側幅調整機構及び／又は右側幅調整機構を有する。
【００１４】
さらに、前記幅調整機構は、スライディングブロック、ガイドレール及びフープを有する。
【００１５】
さらに、前記スマートマットレスは、前記背上げ回転中心及び／又は前記脚上げ回転中心に沿って、少なくとも２つの部分に分割でき、駆動装置及び各分割部分が一体的に配置されている。
【発明の効果】
【００１６】
本発明は、以下のような有益な効果を有する。
（１）背上げ、脚上げ、左側及び右側の寝返り及び通常のベッド本体に追加して使用できること等の基本的機能が達成できることに基づき、本発明は、コンパクトなレイアウトと、単純な構造と、相対的に小さな厚みとを有し、背上げ同期機構及び脚上げ同期機構等の２組の同期機構を排除し、これによって、より最適化された構造と、より軽くなった重量並びにより小さなサイズと、製造コストの低減とを達成できる。
（２）左側及び右側の寝返り機能が行われる時、左側寝返り回転中心及び右側寝返り回転中心が２重軸（偶数軸）面取り構造を形成する。これによって、横側寝返り中に人体への締め付け損傷を効果的に防ぐことができ、締め付け防止横側寝返り機能を実現できる。
（３）異なる幅を有するベッド本体に適切となるように、幅を調整でき、このことは、より実用的である。
（４）設置及び移動が便利で、これにより、設置及び移動によって引き起こされる煩雑さを大幅に減少できる。
【００１７】
本発明の概念、特定の構造及び結果として生じる技術的効果は、本発明の目的、特性及び効果を完全に理解するための図面と併せてさらに後述する。
【図面の簡単な説明】
【００１８】
【図１】本発明の好適な実施形態のスマートマットレスのセグメント化されたフレームの構造的模式図である。
【図２】スマートマットレスのセグメント化されたフレームの構造的平面図である。
【図３】スマートマットレスのセグメント化されたフレームの構造的正面図である。
【図４】スマートマットレスのセグメント化されたフレームの構造的右側面図である。
【図５】締め付け防止横側寝返り機能なしのベッド本体の構造的模式図である。
【図６】スマートマットレスのセグメント化されたフレームの構造の幅調整機構の構造的模式図である。
【図７】スマートマットレスの、セグメント化されたフレームの構造の背上げモジュールの、分割後の模式図である。
【図８】スマートマットレスの、セグメント化されたフレームの構造の中間部分の、分割後の模式図である。
【図９】スマートマットレスの、セグメント化されたフレームの構造の脚上げモジュールの、分割後の模式図である。
【発明を実施するための形態】
【００１９】
下記に、本発明の好適な一実施形態を、図面と併せてさらに説明する。
【００２０】
図１〜図４に示されるように、可変の姿勢及び構造を有するスマートマットレスが提供される。スマートマットレスは、メインフレーム１８と、セグメント化されたフレームと、駆動装置２１とを備える。セグメント化されたフレームマットレスは、背上げモジュールと、脚上げモジュールと、左側寝返りモジュールと、右側寝返りモジュールと、締め付け防止モジュールとを備える。駆動装置２１は、電動プッシュロッド又は空気圧プッシュロッドのいずれかであることができる。
【００２１】
背上げモジュールは、平行に配置されるとともに、メインフレームのヘッド部に配置されている第１パネルフレーム１と、第２パネルフレーム２と、第３パネルフレーム３とを備える。脚上げモジュールは、第５パネルフレーム５と、第６パネルフレーム６と、第７パネルフレーム７と、第８パネルフレーム８と、第９パネルフレーム９と、第１０パネルフレーム１０とを備える。第６パネルフレーム６、第７パネルフレーム７及び第８パネルフレーム８は、脚上げ補助モジュールを形成する。左側寝返りモジュールは、第３パネルフレーム３と、第４パネルフレーム４と、第５パネルフレーム５と、第６パネルフレーム６とを備える。右側寝返りモジュールは、第１パネルフレーム１と、第１２パネルフレーム１２と、第１０パネルフレーム１０と、第８パネルフレーム８とを備える。締め付け防止モジュールは、第２パネルフレーム２と、第１１パネルフレーム１１と、第９パネルフレーム９と、第７パネルフレーム７とを備える。
【００２２】
背上げ回転中心１３は、背上げモジュールと、第４パネルフレーム４、第１１パネルフレーム１１及び第１２パネルフレーム１２との間の接続部に形成される。脚上げ回転中心１４は、脚上げモジュールと、第４パネルフレーム４、第１１パネルフレーム１１及び第１２パネルフレーム１２との間の接続部に形成される。脚上げ補助回転中心１７は、脚上げモジュールと脚上げ補助モジュールとの間の接続部に形成される。左側寝返り回転中心１５は、左側寝返りモジュールと締め付け防止モジュールとの間の接続部に形成される。右側寝返り回転中心１６は、右側寝返りモジュールと締め付け防止モジュールとの間の接続部に形成される。
【００２３】
各パネルフレームは、回転式コネクタを介して接続され、回転式コネクタは、ヒンジであることができる。
【００２４】
背上げモジュールの第２パネルフレーム２は、電動プッシュロッド２１に接続される。脚上げモジュールの第９パネルフレーム９は、電動プッシュロッド２１に接続される。左側寝返りモジュールの第４パネルフレーム４は、電動プッシュロッド２１に接続される。右側寝返りモジュールの第１２パネルフレーム１２は、電動プッシュロッド２１に接続される。
【００２５】
背上げモジュールは、電動プッシュロッド２１の作用下で、背上げ回転中心１３の回りに回転及び上昇して定位置に停止することができる。脚上げモジュールは、電動プッシュロッド２１の作用下で、脚上げ回転中心１４回りに回転及び上昇して定位置に停止することができる。左側寝返りモジュールは、電動プッシュロッド２１の作用下で、左側寝返り回転中心１５の回りに回転及び上昇して定位置に停止することができる。右側寝返りモジュールは、電動プッシュロッド２１の作用下で、右側寝返り回転中心１６の回りに回転及び上昇して定位置に停止することができる。
【００２６】
左右側寝返り回転中心は、締め付け防止モジュールの両側に形成される。左右側の寝返りが行われる時、左側寝返り回転中心１５及び右側寝返り回転中心１６は、２重軸（偶数軸）面取り構造を形成する。
【００２７】
図６に示されるように、本発明のスマートマットレスは、さらに、幅調整機構を備える。幅調整機構は、左側幅調整機構１９と、右側幅調整機構２０とを備える。幅調整機構は、スライディングブロック２２と、ガイドレール２３と、フープ２４とを備える。
【００２８】
図７〜図９に示されるように、本発明のスマートマットレスは、背上げ回転中心１３及び脚上げ回転中心１４に沿って、３つの部分に分割できる。分割時には、電動プッシュロッド及び各分割フレームが一体的に配置されている。
【００２９】
本発明の具体的な好適な実施形態は、上記に詳細に記載してある。当業者は、一切の発明的試みを含むことなく本発明の概念に従って、修正及び変更することが可能であると理解されるべきである。そのため、従来技術に基づいた及び本発明の概念に従った、論理的分析、理由付け、又は限定的試みによって、当業者が得ることのできる、いかなる技術的解決手段は、特許請求の範囲の保護適用範囲に含まれるべきである。
【符号の説明】
【００３０】
１    第１パネルフレーム
２    第２パネルフレーム
３    第３パネルフレーム
４    第４パネルフレーム
５    第５パネルフレーム
６    第６パネルフレーム
７    第７パネルフレーム
８    第８パネルフレーム
９    第９パネルフレーム
１０    第１０パネルフレーム
１１    第１１パネルフレーム
１２    第１２パネルフレーム
１３    背上げ回転中心
１４    脚上げ回転中心
１５    左側寝返り回転中心
１６    右側寝返り回転中心
１７    脚上げ補助回転中心
１８    メインフレーム
１９    左側幅調整機構
２０    右側幅調整機構
２１    電動プッシュロッド
２２    スライディングブロック
２３    ガイドレール
２４    フープ
【図１】
2019533566.tif 000003
【図２】
2019533566.tif 000004
【図３】
2019533566.tif 000005
【図４】
2019533566.tif 000006
【図５】
2019533566.tif 000007
【図６】
2019533566.tif 000008
【図７】
2019533566.tif 000009
【図８】
2019533566.tif 000010
【図９】
2019533566.tif 000011
【国際調査報告】
2019533566.tif 000012
2019533566.tif 000013
2019533566.tif 000014
2019533566.tif 000015